(57)【要約】【課題】  地震等の発生により便所における流し水が使用できない状態において通常とほぼ変らない状態で用便ができ、汚物の廃棄処理も容易にできる非常時使用の折り畳み式簡便トイレを提供する。【解決手段】  非常時使用の折り畳み式簡便トイレ１００は枠体１と袋体２とからなり、枠体１は大型リング体３と小型リング体４とを支持桿５により回動可能に連結したものからなる用便時にはこの枠体１内に樹脂袋体を挿入して行う。【選択図】  図１
0003142032.tif 000002
【実用新案登録請求の範囲】
【請求項１】
流し水供給不能時等の非常時において流し水なしで用便ができ、かつ汚物を廃棄可能状態にすることができる折り畳み式簡便トイレであって、該簡便トイレは、便器の便用の凹部に係着挿入可能な枠体と、該枠体内に出入可能に挿入される樹脂袋体とからなり、前記枠体は折り畳み可能な形状のものからなることを特徴とする非常時使用の折り畳み式簡便トイレ。
【請求項２】
前記枠体が、前記凹部の上方側に当接する大型リング体と、前記凹部の下方に当接する小型リング体と、前記両リング体間に回動又は伸縮可能に架設される支持体と、前記大型リング体を前記凹部の上縁に係着する係止具とからなることを特徴とする請求項１に記載の非常時使用の折り畳み式簡便トイレ。
【請求項３】
前記小型リング体は、前記凹部に挿入された状態で前記凹部の底面よりも少なくとも離れた位置に配置されるものからなることを特徴とする請求項１又は２に記載の非常時使用の折り畳み式簡便トイレ。
【請求項４】
前記樹脂袋体が、生分解性のポリマからなることを特徴とする請求項１に記載の非常時使用の折り畳み式簡便トイレ。
【考案の詳細な説明】
【技術分野】
【０００１】
本考案は、地震等の発生によって水道水の供給が停止するような非常時において、既設の便器が水なしで使用でき、汚物の廃棄も簡単にでき収納も容易に小スペースで出来る非常時使用の折り畳み式簡便トイレに関する。
【背景技術】
【０００２】
地震等が発生すると水洗用のトイレへの流し水の供給が停止する場合が多い。建物が破壊されて既設の便器での用便が不可能な場合を除き、用便には既設の便器を使用することを望む者が多い。
この場合、用便は可能であっても汚物の水洗ができないため、その処理が出来ない場合が多い。
このような場合において用便を可能とする従来技術は種々のものがあるが、例えば、「特許文献１」が挙げられる。
【特許文献１】特開平６−２７７１６３号（図１）
【考案の開示】
【考案が解決しようとする課題】
【０００３】
「特許文献１」の「特開平６−２７７１６３号」の「災害時用使い捨排便袋」は生分解性のポリマよりなる袋内に吸水剤，固化剤，防臭剤や殺菌剤からなる組成物を入れ、この袋内に排便して袋ごと処理する構造のものからなる。
【０００４】
以上の処理により排便は悪臭の発生がなく処理も容易にできる利点があり災害時において大いに役に立つものではある。
しかしながら、この袋を用いての用便が楽でなく、人目に触れる所では通常実施できない。また、既設の便器を用いるとしても排便作業が面倒である。
排便は前記のように既設の便器において通常の姿勢で行うことが最も望ましい。前記の「特許文献１」以外にも臨時的なトイレに関する公知技術は存在するが、後に説明する本考案のような簡便トイレについては見当らない。
【０００５】
本考案は、以上の事情に鑑みて考案されたものであり、流し水なしでも既設のトイレを用いて排便が容易に出来、汚物の処理も容易であり、不使用時における収納も容易であり、保管スペースも小さくて済む非常時使用の折り畳み式簡便トイレを提供することを目的とする。
【課題を解決するための手段】
【０００６】
本考案は、以上の目的を達成するために、請求項１の考案は、流し水供給不能時等の非常時において流し水なしで用便ができ、かつ汚物を廃棄可能状態にすることができる折り畳み式簡便トイレであって、該簡便トイレは、便器の用使用の凹部に係着挿入可能な枠体と、該枠体内に出入可能に挿入される樹脂袋体とからなり、前記枠体は折り畳み可能な形状のものからなることを特徴とする。
【０００７】
また、請求項２の考案は、前記枠体が、前記凹部の上方側に当接する大型リング体と、前記凹部の下方に当接する小型リング体と、前記両リング体間に回動又は伸縮可能に架設される支持体と、前記大型リング体を前記凹部の上縁に係着する係止具とからなることを特徴とする。
【０００８】
また、請求項３の考案は、前記小型リング体は、前記凹部に挿入された状態で前記凹部の底面よりも少なくとも離れた位置に配置されるものからなることを特徴とする。
【０００９】
また、請求項４の考案は、前記樹脂袋体が、生分解性のポリマからなることを特徴とする。
【考案の効果】
【００１０】
本考案の請求項１の非常時使用の折り畳み式簡便トイレによれば、本考案の簡便トイレは既設の便器に挿入でき、用便が流し水なしで可能であり、用便後が汚物の処理が袋体ごと容易にでき、かつ不使用時に折り畳み収納して小スペース化ができる効果を上げることが出来る。
【００１１】
また、本考案の請求項２の非常時使用の折り畳み式簡便トイレによれば、枠体が大型リング体と小型リング体と支持桿や係止具とからなり、使用時において既設の便器に簡便に取り付けることができる。また、支持桿を回動することにより大型リング体と小型リング体とがほぼ重合することができ、収納し易い折り畳み形態となる。
【００１２】
また、本考案の請求項３の非常時使用の折り畳み式簡便トイレによれば、小型リング体が凹部の底面から離れた位置に配置されるため、排便が凹部の底面に付着することがない。よって、袋体ごとの排便により既設のトイレの汚れは生じない。
【００１３】
また、本考案の請求項４の非常時使用の折り畳み式簡便トイレによれば、袋体が生分解性のポリマからなるため、そのまま廃棄しても自然に地面に吸収され、かつ環境保全が可能となる。
【考案を実施するための最良の形態】
【００１４】
以下、本考案の非常時使用の折り畳み式簡便トイレの実施の形態を図面を参照して詳述する。
図１は本考案の非常時使用の折り畳み式簡便トイレの全体構造を示す略斜視（図１（ａ））であり、図１（ｂ）は折り畳みされた状態を示す模式図である。
【００１５】
本考案の非常時使用の折り畳み式簡便トイレ１００は、大別して枠体１とこの中に出入り可能に挿入される袋体２（図３）とからなる。
また、枠体１は、大型リング体３と小型リング体４とこのリング体３，４間に介設されて回動可能に連結される。支持体の１つである支持桿５と係止具６等とからなる。
【００１６】
本実施例では、枠体１はワイヤを用いたものからなるが、勿論非常時使用の折り畳み式簡便トイレ１００はこれに限定されるものではない。
図１（ａ）に示すように大型リング体３は着色被覆のワイヤをリング状に丸めたものからなり、その直径は便器の凹部の上方側の内径にほぼ等しい大きさのものからなる。
一方、小型リング体４は同じく着色被覆のワイヤをリング状に丸めたものからなり、その直径は前記凹部の下方側の内径にほぼ等しいものからなる。前記凹部は上方側から下方側に向かって縮径するテーパ状のものからなるため大型リング体３は小型リング体４よりも大径のものからなる。なお、小型リング体４は直径方向に沿って２本の補強桿４ａ，４ａを有するものからなる。
【００１７】
支持桿５はは大型リング体３と小型リング体４とに架設される棒体からなり、本実施例では４本のものからなるが、勿論これに限定するものではない。
また、支持桿５と大型リング体３及び小型リング体４との連結部位は支持桿５が回動可能な例えば、ユニバーサルジョイント的なものからなる。
【００１８】
また、支持桿５と大型リング体３との連結部位には係止具６の基端側が連結されている。この係止具６の先端側には便器の前記凹部の上縁に係着可能なフック６ａが連結されている。
【００１９】
以上の構造により、枠体１は図１（ｂ）に示すように支持桿５を回動することにより折り畳み可能となり、収納し易い形態のものからなり、一点鎖線で表示する収納ケース７等内に収納され、持ち運び可能な省スペースのものからなる。
【００２０】
図２（ａ），（ｂ）は、図１に示した構造の枠体１の使用形態を示すものである。
図２（ａ）に示すように、折り畳まれていた枠体１を広げることにより枠体１は図１（ａ）に示す形状のものとなる。この形状の枠体１を便器８の凹部９に挿入した状態が図２（ａ）に示されている。
前記のように枠体１の大型リング体３は凹部９の上方側に当接し小型リング体４は凹部９の下方側に当接する。また、この状態で小型リング４は凹部９のそこ面９ａからやや離れた位置に配置されるように形成されている。大型リング体３や小型リング体４を図２（ａ）に示したように凹部９に収納したら、係止具６を凹部９の上縁９ｂに係着する。この状態が図２（ｂ）に示されている。以上により、枠体１は凹部９内に安定的に収納されることになる。また、枠体１は凹部９内にすっぽり収納されるために、用便は枠体１のない状態と同じ状態で行うことができる。
【００２１】
次に、図３（ａ）に示すように、袋体２を枠体１内に挿入する。この袋体はシート状のものからなり、本実施例では生分解性のポリマからなる。この袋体２は図示のように枠体１の内面に沿って挿入されるものからなる。
以上により、用便による糞１０等は図３（ａ）に示すように袋体２の底面に溜ることによる。よって、袋体２を枠体１から持ち上げることにより糞１０等は袋体２に収納された状態で廃棄可能の状態となる。
【００２２】
糞１０等を袋体２に収納した状態で廃棄することは可能であるが、環境保全や衛生保持の面からこのままの状態で廃棄しない方が望ましい。よって、本実施例では糞１０等がゼリー状に固まる組成物を混入するこが望ましい。この組成物としては各種のものが公知技術として存在しているのでその内容はここでは説明を省略する。勿論、防臭性のあるものが望ましい。
図３（ａ）及び図３（ｃ）は組成物によってゼリー状に擬固した糞１０ａを示す。以上により、付加１０ａを袋体２と共に廃棄しても環境保全や安全性における問題点はほぼ解消される。
【００２３】
以上のように、流し水のない状態において枠体１や袋体２を便器８に挿入することにより、通常とほぼ同様な用便が可能となり、その処理物の廃棄も問題なく行うことができる。
【００２４】
以上の説明では、前記のように枠体１はワイヤ状のものから構成されたが、伸縮可能の形態のものや同一技術的範疇のものが採用されることは勿論である。
【産業上の利用可能性】
【００２５】
本考案は、通常の形態の洋式便器に対して適用されているが、異なる形態の便器に対しても適用可能であり、その利用範囲は極めて広い。
【図面の簡単な説明】
【００２６】
【図１】本考案の枠体の全体構造を示す略斜視図（ａ）及びこの枠体折り畳み状態を示す模式図（ｂ）。
【図２】本考案枠体の使用状態を示す側断面図（ａ）及び上面図（ｂ）。
【図３】本考案の枠体を用いた用便の状態を示す側断面図（ａ）及び糞等の処理状態を示す模式図（ｂ），（ｃ）。
【符号の説明】
【００２７】
１      枠体
２      袋体
３      大型リング体
４      小型リング体
４ａ    補強桿
５      支持桿
６      係止具
６ａ    フック
７      収納ケース
８      便器
９      凹部
９ａ    底面
９ｂ    上縁
１０    糞
１０ａ  糞
１００  非常時使用の折り畳み式簡便トイレ
【図１】
0003142032.tif 000003
【図２】
0003142032.tif 000004
【図３】
0003142032.tif 000005